(57)【要約】【課題】空気式精紡装置から巻取装置への糸送りに滑りがあると、空気式精紡装置で製造された紡績糸の品質が損なわれる。【解決手段】スライバ１のドラフト装置４と、ドラフト装置４で延伸されたスライバ１より紡績糸２を製造する空気式精紡装置５と、紡績糸２をトラバースして巻取る巻取装置７と、空気式精紡装置５から巻取装置７へ紡績糸２をニップして送り出すデリベリローラ２２およびニップローラ２１を備える糸送り装置６と、を備える紡績機ユニット１０であって、ニップローラ２２は横断面が真円のゴムで形成されたローラであり、デリベリローラ２１は、横断面が真円のローラに筋状の溝２１ａが、その軸方向に沿って平行に多数形成されてなる金属ローラとした。【選択図】図３
2006207083.tif 000002
【特許請求の範囲】
【請求項１】
スライバのドラフト装置と、
前記ドラフト装置で延伸されたスライバより紡績糸を製造する空気式精紡装置と、
前記紡績糸をトラバースして巻取る巻取装置と、
前記空気式精紡装置から前記巻取装置へと前記紡績糸をニップして送り出す一対のローラを備える糸送り装置と、
を備える空気式紡績機であって、
前記一対のローラは、弾性体で形成される第一のローラと、弾性体もしくは剛体で形成される第二のローラと、からなるものとし、
前記第二のローラには、その外周面に凹凸が形成される、
ことを特徴とする空気式紡績機。
【請求項２】
前記第二のローラに形成される凹凸は、
この第二のローラの軸方向に渡って、均一な密度で形成される、
ことを特徴とする請求項１に記載の空気式紡績機。
【請求項３】
前記第二のローラに形成される凹凸は、
横断面が真円のローラに、
このローラの周方向と交わると共に、このローラの両端間に渡る筋状の溝を形成することで構成される、
ことを特徴とする請求項１または請求項２に記載の空気式紡績機。
【発明の詳細な説明】
【技術分野】
【０００１】
本発明は、空気式紡績機において、紡績された糸を巻き取り部へ送出する糸送り手段に関する。
【背景技術】
【０００２】
従来より、スライバのドラフト装置と、前記ドラフト装置で延伸されたスライバより紡糸を行なう空気式精紡装置と、前記空気式精紡装置で製造された紡績糸の送り手段と、前記紡績糸の巻取装置と、を備える空気式紡績機が公知である（特許文献１）。
紡績糸の送り手段は、ラインシャフト（各錘の装置間で共用の駆動軸）に接続されて駆動される金属製のデリベリローラと、このデリベリローラに当接させる硬質ゴム製のニップローラと、から構成される。紡績糸は、デリベリローラおよびニップローラに挟み込まれてデリベリローラに摩擦接触した状態となり、このデリベリローラの駆動回転により、送り出される。
【特許文献１】特開２００１−２０７３４３号公報
【発明の開示】
【発明が解決しようとする課題】
【０００３】
従来のデリベリローラは、外周面が鏡面状に加工された金属ローラであるので、糸をニップしているとはいえ、摩擦接触による糸の保持が不完全であり、糸の滑りが発生する状態にあった。
ここで、デリベリローラより糸送り方向下流では、巻取装置により、糸がトラバースされてパッケージに巻き取られており、糸のテンションに変動が生じている。
このため、糸送り方向下流でのテンション変動が、糸送りに滑りの発生し得るデリベリローラを越えて上流側に伝搬して、空気式精紡装置の紡績ノズルを出た糸に悪影響が与えられてしまう。
【０００４】
つまり、解決しようとする問題点は、空気式精紡装置から巻取装置への糸送りに滑りがあると、空気式精紡装置で製造された紡績糸の品質が損なわれる点である。
【課題を解決するための手段】
【０００５】
本発明の解決しようとする課題は以上の如くであり、次にこの課題を解決するための手段を説明する。
【０００６】
即ち、請求項１においては、
スライバのドラフト装置と、
前記ドラフト装置で延伸されたスライバより紡績糸を製造する空気式精紡装置と、
前記紡績糸をトラバースして巻取る巻取装置と、
前記空気式精紡装置から前記巻取装置へと前記紡績糸をニップして送り出す一対のローラを備える糸送り装置と、
を備える空気式紡績機であって、
前記一対のローラは、弾性体で形成される第一のローラと、弾性体もしくは剛体で形成される第二のローラと、からなるものとし、
前記第二のローラには、その外周面に凹凸が形成される、ものである。
【０００７】
請求項２においては、
前記第二のローラに形成される凹凸は、
この第二のローラの軸方向に渡って、均一な密度で形成される、ものである。
【０００８】
請求項３においては、
前記第二のローラに形成される凹凸は、
横断面が真円のローラに、
このローラの周方向と交わると共に、このローラの両端間に渡る筋状の溝を形成することで構成される、ものである。
【発明の効果】
【０００９】
本発明の効果として、以下に示すような効果を奏する。
【００１０】
請求項１においては、
前記糸送り装置による紡績糸の送り出しで滑りを生じることがなく、下流側の巻取装置でのテンション変動の影響が、前記糸送り装置を超えて上流側に伝搬しないので、空気式精紡装置で製造された紡績糸の品質が損なわれることが無い。
【００１１】
請求項２においては、請求項１の効果に加えて、
紡績糸が、前記一対のローラ間のどの位置でニップされても、糸滑りに対する抵抗力が等しく得られるものとなる。
【００１２】
請求項３においては、請求項１または請求項２の効果に加えて、
溝に紡績糸が落ち込むような不具合がない。
【発明を実施するための最良の形態】
【００１３】
本発明の空気式紡績機の四つの実施の形態を、図面を用いて説明する。
各実施の形態の相違は、デリベリローラの形状の相違のみであり、他の構成に関しては同一である。このデリベリローラは、ニップローラと協同することで、紡績糸をニップして送り出す手段を構成するものである。したがって、第一の実施の形態の説明においては、空気式紡績機全体の説明を行なうが、第二の実施の形態以降の説明においては、各実施の形態で互いに相違する部分であるデリベリローラについてのみ、説明するものとする。
また、各実施の形態は、一錘の紡績糸を製造する紡績機ユニットを多数並設してなる装置としているが、空気式精紡を利用して一錘の紡績糸を製造する装置自体を、空気式紡績機と称するものとしても、もちろん良い。
【００１４】
図１を用いて、第一の実施の形態である空気式紡績機を説明する。
この空気式紡績機は、機台延出方向に沿って並設される紡績機ユニット１０を多数備えている。この紡績機ユニット１０は、一錘の紡績糸を製造する装置である。各紡績機ユニット１０は、この並設方向に沿って延出するラインシャフト等を利用して、同一の駆動源により同時に駆動される。
各紡績機ユニット１０には、スライバ１より紡績糸２が製造される経路（以下、製造経路）に沿って、製造経路の最上流位置のケンス３、ドラフト装置４、空気式精紡装置５、糸送り装置６、巻取装置７が順に配置されている。
【００１５】
ケンス３は、スライバ１の供給源である。ドラフト装置４は、スライバ１をドラフト（延伸）して繊維束を引き揃える装置である。空気式精紡装置５は、ドラフト装置４で延伸されたスライバ１より紡績糸２を製造する装置である。糸送り装置６は、空気式精紡装置５で製造された紡績糸２を巻取装置７へ送り出す装置である。巻取装置７は、空気式精紡装置５で製造された紡績糸２を、ボビン１５の軸方向にトラバースして巻き取ってパッケージ１６を形成する装置である。
【００１６】
前記ドラフト装置４は、本実施の形態では、スライバ１の搬送方向に沿う次の四組のローラ対、バックローラ対１１、サードローラ対１２、セカンドローラ対１３、フロントローラ対１４、を備える構成である。セカンドローラ対１３の各ローラには、スライバ１のニップ領域を拡大するためのエプロンベルトが巻回されている。
【００１７】
前記巻取装置７は、ボビン１５外周上のパッケージ１６を支持するクレードル（図示せず）と、パッケージ１６を接触回転させるフリクションローラ１７と、紡績糸２を案内する糸ガイド１８をボビン１５の軸方向で往復運動させる（トラバースさせる）トラバース装置（図示せず）と、を備えている。
【００１８】
前記糸送り装置６は、紡績糸をニップして送り出す一対のローラ、デリベリローラ２１およびニップローラ２２を備えている。
デリベリローラ２１は、多数の紡績機ユニット１０間で共用の駆動軸とされるラインシャフト８に固設されており、駆動回転されるローラである。一方、ニップローラ２２は、支持装置１９に備えるアーム２０により、デリベリローラ２１に対して接触・離脱可能に支持されると共に、アーム２０に回転自在に支持されている。
【００１９】
デリベリローラ２１は金属製のローラであり剛体である。一方、ニップローラ２２は硬質ゴム製のローラであり、弾性体である。
このため、デリベリローラ２１にニップローラ２２を当接させることで、ニップローラ２２は、デリベリローラ２１との接触面が凹んだ状態で、面接触することになる。これに対して、両方のローラが共に剛体である場合は、どちらのローラの接触面も凹むことはないので、線接触となる。また、両方のローラが共に弾性体である場合は、どちらのローラの接触面も凹みうるので、面接触となる。
このように、糸送り手段となる一対のローラの少なくとも一方を、弾性体で形成することで、両ローラが面接触するようにして接触面積を（線接触の場合よりも）増大させ、送り出し対象の紡績糸２のニップによる保持をより確実としている。
なお、デリベリローラ２１にニップローラ２２を当接させる手段は、本実施の形態の場合、前記支持装置１９である。
【００２０】
図２に示すように、ニップローラ２２は、その横断面形状が真円のローラである。
【００２１】
図３を用いて、デリベリローラ２１の形状を詳しく説明する。
デリベリローラ２１の外周面には、デリベリローラ２１の軸方向に沿って等間隔に筋状の溝２１ａが多数形成されている。各溝２１ａは、デリベリローラ２１の一端面から他端面に渡って形成されている。デリベリローラ２１の横断面形状は、真円の周上に等間隔に凹部（溝２１ａの横断面）が形成されてなる歯車状である。
つまり、デリベリローラ２１の外周面は、溝２１ａに対して相対的に凸部となる真円部２１ｂ（外周面上で前記真円に対応する部位）と、前記凹部に対応する溝２１ａと、から構成される。
なお、各溝２１ａの形成方向は、デリベリローラ２１の軸方向と平行である。
【００２２】
図４に示すように、デリベリローラ２１にニップローラ２２を当接させることで、デリベリローラ２１とニップローラ２２との接触部Ａにおいて、ニップローラ２２の外周面は、前記真円部２１ｂに面接触すると共に、前記溝部２１ａ内に突出する形状に、弾性変形される。
【００２３】
このため、デリベリローラ２１とニップローラ２２との接触部Ａでは、デリベリローラ２１とニップローラ２２とが互いに噛み合う状態となり、この接触部Ａでニップされる（挟まれる）紡績糸２は、波打つように折曲された状態で、デリベリローラ２１とニップローラ２２とに保持される。これに対して、横断面が共に真円となるデリベリローラ（金属ローラ）とニップローラ（ゴムローラ）とに紡績糸２が保持される場合は、その接触部でデリベリローラの外周面に沿ってニップローラが凹まされるだけであり、その接触部Ａにニップされる紡績糸２の形状は、直線状もしくは円弧状である。
【００２４】
このように、デリベリローラ２１とニップローラ２２とが互いに噛み合う領域（接触部Ａ）で紡績糸２がニップされるため、糸送り方向における滑りに対する抵抗が高められることになる。
したがって、凹凸のあるデリベリローラ２１と、弾性体のニップローラ２２と、を紡績糸２の糸送り手段とすることで、滑りを生じることなく、紡績糸２を確実に保持した状態で送り出すことが可能となる。
【００２５】
図５を用いて、デリベリローラ１２１（第二の実施の形態）を説明する。
前述したように、第二の実施の形態である空気式紡績機は、第一の実施の形態の空気式紡績機に対して、デリベリローラ２１の形状が異なる点でのみ、相違する。
【００２６】
図５に示すように、デリベリローラ１２１の外周面には、デリベリローラ１２１の軸方向に沿って等間隔に筋状の溝１２１ａが多数形成されている。各溝１２１ａは、デリベリローラ１２１の一端面から他端面に渡って形成されている。デリベリローラ１２１の横断面形状は、真円の周上に等間隔に凹部（溝１２１ａの横断面）が形成されてなる歯車状である。
デリベリローラ１２１の外周面は、溝１２１ａに対して相対的に凸部となる真円部１２１ｂ（外周面上で前記真円に対応する部位）と、前記凹部に対応する溝１２１ａと、から構成される。
なお、各溝１２１ａの形成方向は、デリベリローラ１２１の軸方向に対して平行ではなく、若干傾いており、斜歯歯車状（ヘリカルギヤ状）である。また図示しないが螺旋状であってもよい。
【００２７】
デリベリローラ１２１とニップローラ２２とを紡績糸２の糸送り手段とする場合も、ニップ領域で、デリベリローラ１２１とニップローラ２２とが互いに噛み合う状態となり、糸送り方向における糸の滑りに対する抵抗が高められることになる。
【００２８】
また、デリベリローラ２１やデリベリローラ１２１のように、ローラの外周面に筋状の溝を入れる構成において、側面視（ローラの径方向からの視点）で、溝の形状をＶ字状としてもよい。つまり、ローラの軸方向の左右において、左半分の部位に形成される斜め方向の平行溝と、右半分の部位に形成される斜め方向の平行溝とが、対称となる状態である。
このようなＶ字溝をローラに平行に形成することで、デリベリローラとニップローラとの接触圧が、ローラの軸方向の左右で均等となり、ゴム製のニップローラの耐久性向上に繋がる。
【００２９】
図６を用いて、デリベリローラ２２１（第三の実施の形態）を説明する。
前述したように、第三の実施の形態である空気式紡績機は、第一の実施の形態の空気式紡績機に対して、デリベリローラ２１の形状が異なる点でのみ、相違する。
【００３０】
図６に示すように、デリベリローラ２２１の外周面には、粒状（水玉模様状）の凹部２２１ａが多数形成されている。これらの凹部２２１ａ・２２１ａ・・・は、ローラの軸方向および周方向で、前記外周面のどの領域においても一定の密度となるように配置されている。デリベリローラ２２１の横断面形状は、真円の外周上に、等間隔に、凹部２２１ａが形成されてなる歯車状である。
デリベリローラ２２１の外周面は、凹部２２１ａに対して相対的に凸部となる真円部２２１ｂ（外周面上で前記真円に対応する部位）と、前記凹部２２１ａと、から構成される。
【００３１】
デリベリローラ２２１とニップローラ２２とを紡績糸２の糸送り手段とする場合も、ニップ領域で、デリベリローラ２２１とニップローラ２２とが互いに噛み合う状態となり、糸送り方向における糸の滑りに対する抵抗が高められることになる。
【００３２】
図７を用いて、デリベリローラ３２１（第四の実施の形態）を説明する。
前述したように、第四の実施の形態である空気式紡績機は、第一の実施の形態の空気式紡績機に対して、デリベリローラ２１の形状が異なる点でのみ、相違する。
【００３３】
図７に示すように、デリベリローラ３２１は、横断面が真円の本体ローラ３２３と、この本体ローラ３２３の外周上に貼り付けられるゴムベルト３２４と、からなる。
ゴムベルト３２４は筋状であって、本体ローラ３２３の外周上に、デリベリローラ１２１の軸方向に沿って等間隔に、貼り付けられている。各ゴムベルト３２４は、デリベリローラ３２１の一端面から他端面に渡る長さを有している。そして、デリベリローラ３２１の横断面形状は、真円の周上に等間隔に凸部（ゴムベルト３２４の横断面）が形成されてなる歯車状になっている。
デリベリローラ３２１の外周面は、ゴムベルト３２４に対して相対的に凹部となる真円部（本体ローラ３２３の露出部位）と、前記凸部に対応するゴムベルト３２４と、から構成される。
【００３４】
ゴムベルト３２３をデリベリローラ３２１上に貼り付ける手段としては、例えば、両面に粘着剤の塗布されたテープ（両面テープ）などを用いるものとする。
また、本実施の形態（第四の実施の形態）では、横断面形状が真円である本体ローラ３２３の外周面上に、ゴムベルト３２４を貼り付ける構成としてるが、デリベリローラ２１（第一の実施の形態）やデリベリローラ１２１（第二の実施の形態）に形成されている筋状の溝内に、ゴムベルト３２４を嵌め込むように構成しても良い。
【００３５】
デリベリローラ３２１とニップローラ２２とを紡績糸２の糸送り手段とする場合も、ニップ領域で、デリベリローラ３２１とニップローラ２２とが互いに噛み合う状態となり、糸送り方向における糸の滑りに対する抵抗が高められることになる。
【００３６】
次に、図８を用いて、デリベリローラの構成のみが異なる空気式紡績機で製造された紡績糸（綿１００％）を、糸物性で比較した結果を説明する。
図８には、横方向最上列にデリベリローラの構成の別が列挙され、縦方向左端の列に、実験条件や糸物性の指標となる各項目が列挙されている。
デリベリローラの構成において、ＳＴＤローラは、従来構成のデリベリローラ、つまり横断面が真円となる金属ローラを示している。筋（平行）ローラは、第一の実施の形態に備えるデリベリローラ２１に対応するものであり、筋（斜）ローラは、第二の実施の形態に備えるデリベリローラ１２１に対応するものである。
【００３７】
前記三種類のデリベリローラはいずれも直径が４０ｍｍである。より詳しくは、筋（平行）ローラおよび筋（斜）ローラにおいては、真円部の直径が４０ｍｍであり、溝部は、その内側に窪んだ部位となる。
筋（平行）ローラおよび筋（斜）ローラにおける歯数（溝部の個数）は、９０となっている。前記デリベリローラ２１・１２１は、図示の便宜上、本実験に用いたローラよりは、歯数を大幅に減らしているが、構成は同じである。
また、筋（平行）ローラの溝の形成方向は、ローラの軸方向と平行（傾斜０度）であるが、筋（斜）ローラにおける溝の形成方向（より正確には螺旋状となる溝の接線方向）は、ローラの軸方向に対して５度傾斜した方向となっている。
【００３８】
実験条件であるフィード率（Ｆｅｅｄ．ｒａｔｉｏ）は、ドラフト装置４からのスライバ１の送り速度と、糸送り装置６での紡績糸２の送り速度との比、つまり前記フロントローラ対１４での周速度と、デリベリローラの周速度の比を示している。
ここで、ＳＴＤローラのフィード率は１．００であるが、送り対象の紡績糸の滑りが発生することが明らかであるので、この滑りの影響を考慮して、実質的なフィード率は、０．９８を仮定している。一方、筋（平行）ローラおよび筋（斜）ローラにおいては、本空気式紡績機の使用条件下では滑りがないと見なされる。したがって、フィード率１．００の条件下におけるＳＴＤローラと、フィード率０．９８の条件下における筋（平行）ローラおよび筋（斜）ローラとで、比較を行なうものとしている。
なお、他の実験条件（ドラフト装置での送り速度や空気式精紡装置のノズル噴射速度等）については同一であるので、省略している。
【００３９】
図８に示すように、筋（平行）ローラや筋（斜）ローラの場合、ＳＴＤローラと比べて、糸強力（Ｓｔｒｅｎｇｔｈ）が若干増加、伸度（Ｅｌｏｎｇａｔｉｏｎ）が大幅に増加、均斉度（Ｅｖｅｎｎｅｓｓ）が大幅に低下、毛玉発生（Ｎｅｐ）が低下、毛羽立ち（Ｈａｉｒｉｎｅｓｓ）が低下、している。つまり、筋（平行）ローラや筋（斜）ローラの場合、従来のＳＴＤローラと比べて、糸物性がどの項目においても、向上する結果となっている。
なお、糸物性の項目におけるＣＶ（Ｃｏｅｆｆｉｃｉｅｎｔ  ｏｆ  Ｖａｒｉａｔｉｏｎ）は、上段の項目の標準偏差の割合を示す量である。
【００４０】
本発明の空気式紡績機をまとめる。
第一の発明たる空気式紡績機は、スライバのドラフト装置と、前記ドラフト装置で延伸されたスライバより紡績糸を製造する空気式精紡装置と、前記紡績糸をトラバースして巻取る巻取装置と、前記空気式精紡装置から前記巻取装置へと前記紡績糸をニップして送り出す一対のローラを備える糸送り装置と、を備えるものである。
加えて、前記一対のローラは、弾性体で形成される第一のローラと、弾性体もしくは剛体で形成される第二のローラと、からなるものとし、前記第二のローラには、その外周面に凹凸が形成されるものである。
【００４１】
前記の各実施の形態では、前記第一のローラは硬質ゴム製のニップローラ２２とし、前記第二のローラを次のように構成している。第一および第二の実施の形態に備えるデリベリローラ２１・１２１は、横断面が真円の金属製のローラに、筋状の溝を形成したものである。第三の実施の形態に備えるデリベリローラ２２１は、横断面が真円の金属製のローラに、筋粒状の凹部を形成したものである。第四の実施の形態に備えるデリベリローラ３２１は、横断面が真円の金属製のローラ（本体ローラ３２３）に、別体の弾性体（ゴムベルト３２４）を貼り付けたものである。
【００４２】
前記第二のローラは、その外周面に凹凸が形成されるものであれば、前記各実施の形態に限定されるものではない。
また、第二のローラの外周面に凹凸を形成するだけでなく、さらに、前記第一のローラの外周面に凹凸を形成するようにしても良い。
【００４３】
以上構成により、紡績糸は、第一のローラと第二のローラとが噛み合う領域でニップされて、第一のローラと第二のローラとに保持され、糸送り方向における滑りに対する抵抗が高められることになる。
このため、前記糸送り装置による紡績糸の送り出しで滑りを生じることがなく、下流側の巻取装置でのテンション変動の影響が、前記糸送り装置を超えて上流側に伝搬しないので、空気式精紡装置で製造された紡績糸の品質が損なわれることが無い。
【００４４】
第二の発明たる空気式紡績機は、第一の発明において、次の構成としたものである。
前記第二のローラに形成される凹凸は、この第二のローラの軸方向に渡って、均一な密度で形成される、ものである。
【００４５】
第一および第二の実施の形態に備えるデリベリローラ２１・１２１には、前記凹部となる筋状の溝が、ローラの一端面から他端面に渡って形成され、ローラの軸方向で凹部の密度が均一である。また、これらの溝は周方向で平行に形成されているので、ローラの周方向でも凹部の密度が均一である。
第三の実施の形態に備えるデリベリローラ２２１には、前記凹部となる粒状の凹部２２１ａが、ローラの軸方向及び周方向で均一の密度となるように形成されている。
第四の実施の形態に備えるデリベリローラ３２１には、前記凸部となるゴムベルト３２４が、ローラの一端面から他端面に渡って形成され、ローラの軸方向で凹部の密度が均一である。また、これらのゴムベルト３２４は周方向で平行に配置されているので、ローラの周方向でも凸部の密度が均一である。
【００４６】
以上構成により、前記一対のローラ同士の噛み合いは、ローラの軸方向のどの位置でも均一となる。
したがって、紡績糸が、前記一対のローラ間のどの位置でニップされても、糸滑りに対する抵抗力が等しく得られるものとなる。
【００４７】
第三の発明たる空気式紡績機は、第一の発明において、次の構成としたものである。
前記第二のローラに形成される凹凸は、横断面が真円のローラに、このローラの周方向と交わると共に、このローラの両端間に渡る筋状の溝を形成することで構成されるものである。
【００４８】
第一および第二の実施の形態に備えるデリベリローラ２１・１２１には、前記凹部となる筋状の溝が、ローラの一端面から他端面に渡って形成され、これらの溝が、ローラの周方向に対して交わるものとなっている。
【００４９】
以上構成により、紡績糸の糸送り方向と、溝の形成方向とが交わるものとなる。
このため、溝に紡績糸が落ち込むような不具合がない。
【図面の簡単な説明】
【００５０】
【図１】第一の実施の形態の空気式紡績機を示す斜視図。
【図２】ニップローラを示すニ面図であり、（ａ）図は横断面図、（ｂ）図は側面図である。
【図３】第一の実施の形態のデリベリローラを示すニ面図であり、（ａ）図は横断面図、（ｂ）図は側面図である。
【図４】ニップローラとデリベリローラとの接触部を示す横断面図である。
【図５】第二の実施の形態のデリベリローラを示すニ面図であり、（ａ）図は横断面図、（ｂ）図は側面図である。
【図６】第三の実施の形態のデリベリローラを示すニ面図であり、（ａ）図は横断面図、（ｂ）図は側面図である。
【図７】第四の実施の形態のデリベリローラを示すニ面図であり、（ａ）図は横断面図、（ｂ）図は側面図である。
【図８】従来および本発明のデリベリローラを用いた空気式紡績機により製造された糸物性の比較実験結果を示す表である。
【符号の説明】
【００５１】
１    スライバ
２    紡績糸
４    ドラフト装置
６    糸送り装置
７    巻取装置
２１・１２１・２２１・３２１    デリベリローラ（第二のローラ）
２２    ニップローラ（第一のローラ）
３２３    本体ローラ（剛体ローラ）
３２４    ゴムベルト（弾性体）
【図１】
2006207083.tif 000003
【図２】
2006207083.tif 000004
【図３】
2006207083.tif 000005
【図４】
2006207083.tif 000006
【図５】
2006207083.tif 000007
【図６】
2006207083.tif 000008
【図７】
2006207083.tif 000009
【図８】
2006207083.tif 000010